(57)【要約】【課題】乗客コンベア本体内に自動的に消臭剤を適宜散布し、乗客コンベア本体内の悪臭が乗客コンベア本体外部に漏れることを抑制する乗客コンベア本体内消臭装置を得ることを目的とする。【解決手段】エスカレータにおける往路と帰路とを循環走行する踏段内に配設され、エスカレータ本体内に消臭剤２８を散布するエスカレータ本体内消臭装置２０において、踏段が往路及び帰路のどちらを走行しているかを検出する水銀スイッチ３７と、消臭剤２８が収容された消臭剤容器２９、及び消臭剤容器２９内を加圧するコンプレッサ３０を有し、コンプレッサ３０の加圧力により消臭剤２８を踏段の外方に散布するポンプユニット２７と、踏段が帰路を走行していると判断すると、消臭剤２８を散布するようにコンプレッサ３０を制御するＣＰＵ２２を有するコントロールユニット２１と、を備えている。【選択図】図５
2008162772.tif 000002
【特許請求の範囲】
【請求項１】
乗客コンベアの利用者を乗り口から降り口に運ぶ往路と、乗客コンベア本体内の上記降り口下方の部位から上記乗り口下方の部位に帰還する帰路とを循環走行する踏段内に配設され、上記乗客コンベア本体内に消臭剤を散布する乗客コンベア本体内消臭装置であって、
上記踏段が上記往路及び上記帰路のどちらを走行しているかを検出し、検出結果に基づいた踏段経路信号を送信する踏段経路検出手段と、
上記消臭剤、上記消臭剤が収容された消臭剤容器、及び上記消臭剤容器内を加圧する加圧手段を有し、上記加圧手段による加圧力により、上記消臭剤を上記踏段の外方に散布するポンプユニットと、
上記踏段経路信号に基づいて、上記踏段が上記帰路を走行していると判断すると、上記消臭剤を散布するように上記加圧手段を制御する演算制御手段を有するコントロールユニットと、
を備えることを特徴とする乗客コンベア本体内消臭装置。
【請求項２】
上記コントロールユニットはタイマを備え、
上記演算制御手段は、上記タイマによるタイムカウントが所定の散布周期時間になる度に、上記踏段経路信号に基づいた加圧手段の制御を行い、上記消臭剤を散布することを特徴とする請求項１記載の乗客コンベア本体内消臭装置。
【請求項３】
踏段の走行に連動する追従ローラまたは駆動ローラに取り付けられ、該追従ローラまたは該駆動ローラの回転により発電する発電機を備え、上記コントロールユニット、上記踏段経路検出手段、及び上記ポンプユニットは、上記発電機から電力を供給されることを特徴とする請求項１または請求項２記載の乗客コンベア本体内消臭装置。
【発明の詳細な説明】
【技術分野】
【０００１】
この発明は、消臭剤を乗客コンベアの乗客コンベア本体内に適宜放出して乗客コンベア本体内の臭いを消臭する乗客コンベア本体内消臭装置に関するものである。
【背景技術】
【０００２】
従来のエスカレータは、エスカレータ本体内に多数の踏段を上下階側の各踏段スプロケット間に巻き掛けた左右一対の踏段チェーンに掛止めして無端コンベア状に配列しているとともに、このエスカレータ本体内の上階側部には上階側の踏段スプロケットを介して踏段チェーンと共に踏段を循環走行せしめる駆動機器が設けられている。また、エスカレータ本体は、トラスと称されるフレームと、この周側面に取り付けられた外側板と、底面に取り付けられたオイルパンなどにより中空体状に構成されている（例えば、特許文献１参照）。
【０００３】
ここで、従来のエスカレータにおいては、機械的な摩擦が生じる部分に潤滑油が散布される。例えば、踏段チェーンと各踏段スプロケットとの摩擦を和らげるために、踏段チェーンおよび踏段スプロケットに潤滑油が散布されている。
【０００４】
【特許文献１】特開平４−２０４９７号公報
【発明の開示】
【発明が解決しようとする課題】
【０００５】
しかしながら、従来のエスカレータにおいて、散布された潤滑油の剰余分は、エスカレータ本体のオイルパンに滴り落ち下階側の乗降口下部に溜まる構造となっている。
溜まったオイルは、定期的に廃油としてエスカレータ本体外部に取り出されて処理されるものの、一般には数ヶ月単位で処理されることが多い。また、上下階の間に位置するオイルパンの傾斜部については、基本的には長期間清掃されない。従って、劣化した潤滑油から発生した悪臭がエスカレータ本体の外部に漏れ、エスカレータの利用者に不快感を与えるという問題が生じていた。
【０００６】
この発明は、上記の問題を解決するためになされたものであり、乗客コンベア本体内に自動的に消臭剤を適宜散布し、乗客コンベア本体内の悪臭が乗客コンベア本体外部に漏れることを抑制する乗客コンベア本体内消臭装置を得ることを目的とする。
【課題を解決するための手段】
【０００７】
この発明は、乗客コンベアの利用者を乗り口から降り口に運ぶ往路と、乗客コンベア本体内の降り口下方の部位から乗り口下方の部位に帰還する帰路とを循環走行する踏段内に配設され、乗客コンベア本体内に消臭剤を散布する乗客コンベア本体内消臭装置であって、踏段が往路及び帰路のどちらを走行しているかを検出し、検出結果に基づいた踏段経路信号を送信する踏段経路検出手段と、消臭剤、消臭剤が収容された消臭剤容器、及び消臭剤容器内を加圧する加圧手段を有し、加圧手段による加圧力により、消臭剤を踏段の外方に散布するポンプユニットと、踏段経路信号に基づいて、踏段が帰路を走行していると判断すると、消臭剤を散布するように加圧手段を制御する演算制御手段を有するコントロールユニットと、を備えている。
【発明の効果】
【０００８】
この発明によれば、乗客コンベア本体内消臭装置が配設された踏段が帰路を走行しているときに、当該踏段から自動的に消臭剤が乗客コンベア本体内に散布されるようになっているので、乗客コンベア本体内の悪臭が乗客コンベア本体外部に漏れることを抑制できる。
【発明を実施するための最良の形態】
【０００９】
以下、この発明を実施するための最良の形態について、図面を参照して説明する。
図１はこの発明に係るエスカレータ本体内消臭装置を備えたエスカレータの構成を示す模式図、図２はこの発明に係るエスカレータ本体内消臭装置が踏段に配設された様子を示す側面図、図３はこの発明に係るエスカレータ本体内消臭装置が踏段に配設された様子を示す上面図、図４はこの発明に係るエスカレータ本体内消臭装置が踏段に配設された様子を示す正面図、図５はこの発明に係るエスカレータ本体内消臭装置の詳細構成を説明するブロック図である。図６はこの発明に係るエスカレータ本体内消臭装置において、コントロールユニットのＣＰＵによるタイマのタイムカウントの監視動作を説明するフロー図、図７はこの発明に係るエスカレータ本体内消臭装置において、コントロールユニットのＣＰＵによるバッテリーの出力電圧の監視動作を説明するフロー図、図８はこの発明に係るエスカレータ本体内消臭装置による消臭剤の散布動作を説明するフロー図である。
なお、図２〜図４ではクリートライザの溝を省略して図示している。
【００１０】
まず、エスカレータ１の主要構成を説明する。
図１において、乗客コンベアとしてのエスカレータ１の乗客コンベア本体としてのエスカレータ本体２は、トラス２ａと称されるフレームと、この周側面に取り付けられた外側板（図示せず）と、底面に取り付けられたオイルパン２ｂなどにより中空体状に構成されている。
そして、エスカレータ本体２の内部の上下階側に、それぞれ上階側スプロケット３ａおよび下階側スプロケット３ｂが配設されている。
【００１１】
また、無端状に連結された一対の踏段チェーン４のそれぞれが、上階側スプロケット３ａおよび下階側スプロケット３ｂに、各スプロケット３ａ，３ｂの軸方向に所定の間隔をあけて掛け渡されて、循環走行自在に設けられている。
また、踏段５が、踏段チェーン４に、多数連続して連結されて、無端コンベア状に配列されている。そして、多数連結された踏段５のうちの一つに、乗客コンベア本体内消臭装置としてのエスカレータ本体内消臭装置２０が、配設されている。
【００１２】
エスカレータ本体２の上階側には、上階側スプロケット３ａを介して踏段チェーン４と共に踏段５を回転走行せしめる駆動モータ１５を有する駆動機器１６が設けられている。また、駆動チェーン１７が、駆動モータ１５のトルクを上階側スプロケット３ａに伝達可能なように、駆動機器１６と上階側スプロケット３ａとの間に掛け渡されている。
【００１３】
そして、エスカレータ１の走行を制御するエスカレータ制御盤１８が駆動機器１６に隣接して配設されている。駆動機器１６がエスカレータ制御盤１８により駆動されると、踏段５が、エスカレータ１の利用者を乗り口から降り口に運ぶ往路と、エスカレータ本体２内の降り口下方の部位から乗り口下方の部位に帰還する帰路とを循環走行する。即ち、踏段５は、上階側スプロケット３ａ及び下階側スプロケット３ｂの配設場所で走行方向が反転され、往路から帰路または帰路から往路に走行経路が入れ替わる。
ここで、踏段５の走行方向に垂直かつ水平な方向を幅方向とする。
【００１４】
図２〜図４において、踏段５は、踏板６、溝付きのクリートライザ７（以下、ライザ７と記載する）および一対のブラケット８により構成されている。
踏板６は矩形平板状に形成されている。そして、ライザ７が踏板６の長辺と同じ長さの長辺を有する湾曲された概略矩形平板状に形成されている。そして、踏板６とライザ７は、ライザ７の長辺の一辺側が踏板６の裏面側に突出するように、踏板６の長辺の一辺にライザ７の他辺が合わせられている。
【００１５】
そして、一対のブラケット８がフレーム状に形成され、踏板６及びライザ７の長辺の長さ方向に所定の間隔をあけて配置されている。そして、一対のブラケット８それぞれの一端がライザ７から突出する踏板６の先端に固着され、他端が踏板６から突出するライザ７の先端に固着されている。これにより、踏段５内に、踏板６、ライザ７および一対のブラケット８で囲まれた設置スペース９が形成される。さらに、貫通孔７ａが、ライザ７の長辺の長さ方向全域に所定の間隔で、ライザ７の踏板６側に形成されている。
【００１６】
そして、一対の追従ローラ１０のそれぞれが、一対のブラケット８の他端側のそれぞれに、軸方向を幅方向に合わせて取り付けられたローラ軸１１ａの軸周りに回転自在に取り付けられている。
また、一対の駆動ローラ１２のそれぞれが、ブラケット８の一端側のそれぞれに、軸方向を幅方向に合わせて取り付けられたローラ軸１１ｂの軸周りに回転自在に取り付けられている。
【００１７】
そして、詳細には図示しないが、一対の追従ローラ１０及び一対の駆動ローラ１２が、踏段チェーン４の延設方向と略一致するように設けられた一対の追従ローラ用レール及び一対の駆動ローラ用レール上を走行する。
【００１８】
図２〜図５において、エスカレータ本体内消臭装置２０は、設置スペース９内に固定されたコントロールユニット２１、ポンプユニット２７、発電機３５、バッテリー３６、及び踏段経路検出手段としての水銀スイッチ３７を備えている。
【００１９】
発電機３５は、追従ローラ１０と一体に回転され、追従ローラ１０の回転力を利用して発電を行っている。また、バッテリー３６は、１２Ｖ出力のものが用いられている。そして、電源ケーブル３９が、発電機３５とバッテリー３６との間を接続しており、発電機３５で発電された電力は、バッテリー３６に充電されるようになっている。
そして、バッテリー３６は、コントロールユニット２１及びポンプユニット２７に電力を供給している。
【００２０】
また、水銀スイッチ３７が、コントロールユニット２１に一体に取り付けられている。詳細には図示しないが、水銀スイッチ３７は、密閉された容器内に離間配置された一対の電極および該容器内に封入された液状の水銀を有している。そして、水銀スイッチ３７の容器が傾いて水銀が流動すると、電極間が通電状態になったり非通電状態になったりする。このとき、電極間が通電状態になったときを水銀スイッチ３７はＯＮ状態、非通電状態になったときを水銀スイッチ３７はＯＦＦ状態であると定義する。
【００２１】
そして、水銀スイッチ３７は、踏段５が帰路を走行しているときにＯＮとなり、踏段５が往路を走行しているときにＯＦＦとなるように、コントロールユニット２１に一体に固定されている。つまり、踏段５が往路から帰路または帰路から往路に経路が切り替わる際に、水銀スイッチ３７の容器が反転するので、水銀スイッチ３７のＯＮとＯＦＦが入れ替わるようになっている。そして、水銀スイッチ３７は、ＯＮとＯＦＦの切り替わりに応じた踏段経路信号を送信するようになっている。
また、バッテリー３６からコントロールユニット２１に供給された電力の一部が水銀スイッチ３７にも供給され、水銀スイッチ３７が駆動されている。
【００２２】
コントロールユニット２１は、図５に示されるように、演算制御手段としてのＣＰＵ２２、降圧手段としてのレギュレータ２３、タイマ２４、ＲＯＭ２５、ＣＰＵ２２の演算処理時にワーキングスペースに使用されるＲＡＭ２６、電圧調整部３３、補助電源３８、及びこれらを収納するケース３４ａなどを有している。
レギュレータ２３は、ＣＰＵ２２、ＲＡＭ２６及びＲＯＭ２５などの電子部品の駆動電圧に合わせるためにバッテリー３６の出力電圧を１２Ｖから６Ｖに降圧している。
【００２３】
また、電圧調整部３３は、電圧調整部３３に入力されたバッテリー３６の電圧を、バッテリー３６の電圧に応じて、ＣＰＵ２２で読み取り可能な範囲の電圧に変換して出力するものである。そして、ＣＰＵ２２は、電圧調整部３３の出力を読み取り、バッテリー３６の電圧の変動を常時監視している。
【００２４】
また、補助電源３８には、ＣＰＵ２２、ＲＡＭ２６及びＲＯＭ２５などの電子部品の駆動電圧に対応した蓄電池が用いられ、ＣＰＵ２２は、バッテリー３６の電圧が、所定の値（例えば７Ｖ）以下になったと判断したときには、電子部品を駆動するための電源を、バッテリー３６から蓄電池などの補助電源３８に切り替えるようになっている。但し、エスカレータ１が長期に渡って停止されなければ、バッテリー３６の電圧が大幅に降下されることはなく、頻繁にバッテリー３６から補助電源３８に切り替えられることはない。
【００２５】
また、ＣＰＵ２２は、タイマ２４のタイムカウントを任意に開始でき、さらに、タイマ２４のタイムカウントを常時監視している。
ＲＯＭ２４には後述のポンプユニット２７に備えられたコンプレッサ３０の動作を、水銀スイッチ３７のＯＮとＯＦＦおよびタイマ２４によるタイムカウントに対応させてＣＰＵ２２に制御させるためのプログラムが書き込まれている。
【００２６】
また、コントロールユニット２１は電気的に上述の水銀スイッチ３７と接続されており、水銀スイッチ３７が送信した踏段経路信号を受信し、ＣＰＵ２２は水銀スイッチ３７のＯＮとＯＦＦを認識することができるようになっている。
【００２７】
さらに、コントロールユニット２１には発電機３５が電気的に接続されており、ＣＰＵ２２は、発電機３５に発電を行わせる開始信号と発電を停止させる発電停止信号のいずれかを送信し、発電機３５による発電の開始と停止の制御をできるようになっている。
【００２８】
ポンプユニット２７は、図５に示されるように、消臭剤２８、消臭剤容器２９、消臭剤容器２９内を加圧可能に配設された加圧手段としてのコンプレッサ３０、消臭剤容器２９、これらを収納するケース３４ｂ、ノズル３１、及びノズル３１とコンプレッサ３０を接続するチューブ３２を有している。
コンプレッサ３０は、駆動電源が１２Ｖのものが用いられ、バッテリー３６から供給される電力により駆動可能である。また、上述したように、コンプレッサ３０は、コントロールユニット２１に接続され、ＣＰＵ２２によりその加圧動作が制御される。
また、消臭剤２８は液状のものが用いられ、消臭剤容器２９に入れられている。
ノズル３１の開口部は、ライザ７の踏板６側に形成された貫通孔７ａに合わせられている。つまり、ノズル３１の先端が、踏板６の長さ方向全域に所定の間隔で配置されている。
【００２９】
次いで、エスカレータ本体内消臭装置２０の動作にについて図６〜図８を参照しつつ説明する。
なお、図６〜図８中、ステップ１０１〜ステップ１０３、ステップ２０１〜ステップ２０３及びステップ３０１〜ステップ３０８のそれぞれを説明の便宜上Ｓ１０１〜Ｓ１０３、Ｓ２０１〜Ｓ２０３及びＳ３０１〜Ｓ３０８と記す。
【００３０】
まず、ＣＰＵ２２によるタイマ２４のタイムカウントの監視動作について図６を参照しつつ説明する。
ステップ１０１では、エスカレータ本体内消臭装置２０を踏段５の設置スペース９へ配設する時に、強制的にＣＰＵ２２を動作させてタイマ２４によるタイムカウントを開始させる。
ステップ１０２で、ＣＰＵ２２は、タイマ２４によるタイムカウントが散布周期時間（例えば、３日間など）経過したか否かを判断する。なお、散布周期時間は、後述の消臭剤２８の散布動作において、消臭剤２８の散布周期を決定するものである。
【００３１】
ステップ１０２で、ＣＰＵ２２が、タイマ２４によるタイムカウントが散布周期時間経過していないと判断した場合、現状を維持してステップ１０１に戻る。
ステップ１０２で、ＣＰＵ２２が、タイマ２４によるタイムカウントが散布周期時間経過したと判断すると、タイマ２４の周期フラグをＯＮとするとともに、タイマ２４のタイムカウントをリセットし（ステップ１０３）、ステップ１０４に進む。
なお、タイマ２４の周期フラグのＯＮやＯＦＦは、ＲＡＭ２６の所定の領域に書き込まれ、後述で説明する消臭剤２８の散布動作の中で参照される。
【００３２】
ステップ１０４では、ＣＰＵ２２はタイマ２４の周期フラグがＯＦＦになったか否かを判断し、タイマ２４の周期フラグがＯＦＦになったと判断した場合、ステップ１０５に進む。ステップ１０４で、ＣＰＵ２２が、タイマ２４の周期フラグはＯＦＦになっていないと判断した場合、現状を維持し、再びステップ１０４に戻る。
ステップ１０５で、ＣＰＵ２２はタイマ２４のタイムカウントをリセットし、ステップ１０１に戻る。
【００３３】
次いで、ＣＰＵ２２によるバッテリー３６の出力電圧の監視動作について図７を参照しつつ説明する。
ステップ２０１では、ＣＰＵ２２は、バッテリー３６の出力電圧が規定電圧値以上に達したか否かを判断する。なお、規定電圧値は、バッテリー３６のフル充電が完了したことを判断するための値であり、ＣＰＵ２２は、バッテリー３６の出力電圧が規定電圧値以上に達した時に、バッテリー３６の充電は完了したと判断する。
【００３４】
ステップ２０１で、ＣＰＵ２２が、バッテリー３６の出力電圧が規定電圧以上に達していると判断すると、発電停止信号を発電機３５に送信して発電機３５による発電を停止するとともに、充電完了フラグをＯＮとし（ステップ２０２）、ステップ２０１に戻る、
ステップ２０１で、ＣＰＵ２２が、バッテリー３６の出力電圧が規定電圧以上に達していないと判断すると、発電開始信号を送信して発電機３５による発電が可能な状態にするとともに、充電完了フラグをＯＦＦとし（ステップ２０３）、ステップ２０１に戻る、
なお、充電完了フラグのＯＮやＯＦＦは、ＲＡＭ２６に書き込まれ、後述で説明する消臭剤２８の散布動作の中で参照される。
【００３５】
次いで、エスカレータ本体内消臭装置２０による消臭剤２８の散布動作について図８を参照しつつ説明する。
初期状態として、周期フラグはＯＦＦであるものとする。
まず、ステップ３０１で、ＣＰＵ２２は、前述したタイマ２４の周期フラグがＯＮになったか否かを判断し、周期フラグがＯＮになったと判断した場合、ステップ３０２に進み、周期フラグがＯＮになっていないと判断した場合、現状を維持したまま、再びステップ３０１に戻る。
【００３６】
ステップ３０２で、ＣＰＵ２２は、水銀スイッチ３７が、ＯＦＦからＯＮに切り替わったか否かを判断し、ＯＦＦからＯＮに切り替わったと判断した場合、ステップ３０３に進み、ＯＦＦからＯＮに切り替わっていないと判断した場合は、現状を維持したまま再びステップ３０２に戻る。
【００３７】
ステップ３０３で、ＣＰＵ２２は、前述の充電完了フラグがＯＮか否かを判断し、充電完了フラグがＯＮであると判断した場合は、ステップ３０４に進み、充電完了フラグがＯＮでないと判断した場合は、現状を維持したまま再びステップ３０３に戻る。
【００３８】
ステップ３０４で、ＣＰＵ２２は、コンプレッサ３０による加圧動作を開始させて消臭剤容器２９内を加圧し、消臭剤２８を踏段５の外方に散布させて、ステップ３０５に進む。
ステップ３０５で、ＣＰＵ２２は、水銀スイッチ３７がＯＦＦになったか否かを判断し、水銀スイッチ３７がＯＦＦであると判断した場合、ステップ３０６に進み、水銀スイッチ３７がＯＦＦでないと判断した場合は、現状を維持したまま再びステップ３０５に戻る。
【００３９】
ステップ３０６で、ＣＰＵ２２は、コンプレッサの加圧動作を停止し、消臭剤２８の散布を停止するとともに、ＲＡＭ２６に設けられた散布回数カウントＡの書き込み領域に、Ａ＝Ａ＋１を書き込み、ステップ３０７に進む。なお、散布回数カウントＡの初期値は０に設定されている。
上記ステップ３０２〜３０６の動作において、ＣＰＵ２２は、水銀スイッチがＯＮである（踏段５が帰路を走行している）と判断した場合には、常時消臭剤容器２９内が加圧されるようにコンプレッサ３０を制御し、消臭剤２８を散布している。従って、エスカレータ本体２内部の全域を網羅するように消臭剤２８が散布される。また、該踏段５が往路側を走行するときには、消臭剤２８の散布が停止されるので、エスカレータ本体２の外部に消臭剤２８が散布されることはない。
【００４０】
ステップ３０７では、散布回数カウントＡが規定散布回数になったか否かを判断する。規定散布回数は、エスカレータ本体２内部の全域に渡って、何回消臭剤２８を散布するかを決定するものである。規定散布回数は、予め、消臭剤２８の散布制御をするためにＲＯＭ２５に書き込まれたプログラム中に所望の回数が書き込まれている。
【００４１】
ステップ３０７で、ＣＰＵ２２は、散布回数カウントＡが、規定散布回数になったと判断した場合、ステップ３０８に進み、散布回数カウントＡが、規定散布回数になっていないと判断した場合、ステップ３０２に戻る。
ステップ３０８では、散布回数カウントＡをリセットする（０にする）とともに、タイマ２４の周期フラグをＯＦＦとし、ステップ３０１に戻る。
【００４２】
この発明によれば、コントロールユニット２１のＣＰＵ２２は、タイマ２４のタイムカウントが散布周期時間経過する毎に、エスカレータ本体２内にのみ消臭剤２８を、自動的に散布するようにコンプレッサ３０を制御しているので、エスカレータ本体２内に溜まって劣化した潤滑油などから放たれる悪臭が消臭される。消臭剤２８の散布が自動化されたので、煩わしい作業を要することなく、エスカレータ本体２内の悪臭がエスカレータ本体２の外部に漏れることを抑制できる。
【００４３】
また、バッテリー３６は、フル充電された後、さらに充電し続けると性能劣化が早まることが知られている。ＣＰＵ２２は、バッテリー３６の電圧が規定電圧以上に達した時には、バッテリー３６はフル充電されたと判断し、発電機３５の発電を停止するように制御している。これにより、バッテリー３６の充電が停止され、バッテリー３６の性能劣化が早まることを抑制できる。
【００４４】
発電機３５により発電された電力が、コントロールユニット２１、水銀スイッチ３７、及びポンプユニット２７を駆動するのに必要な電力に用いられている。コントロールユニット２１、水銀スイッチ３７、及びポンプユニット２７等への電力の供給は、踏段５の設置スペース９に蓄電池を配設して行うことも可能であるが、発電機３５を配設することにより、蓄電池の電圧が低下する度に蓄電池を交換するという煩わしい作業を省略できるという効果が得られる。
【００４５】
なお、この発明では、踏段経路検出手段として水銀スイッチ３７を用いるものとして説明したが、踏段経路検出手段は水銀スイッチ３７に限定されるものではなく、例えば、光センサを、ライザに形成した孔から差し込む光を検出可能に踏段内に設け、踏段がエスカレータ本体２内に入ったことを検出し、光センサの信号に応じて消臭剤２８をエスカレータ本体２内に散布してもよい。また、筒状容器に球を入れて、マイクロスイッチを水銀スイッチ３７の代わりに用い、筒状容器が所定角度傾いたときに球がマイクロスイッチに当接するようにさせれば、水銀スイッチ３７と同様に踏段が反転したことを検出することができる。但し、水銀スイッチ３７及び光センサは機械的接点がないので、磨耗などにより劣化する部位がなく、長期にわたって安定動作をさせることができる。
【００４６】
また、発電機３５で発電された電力は、バッテリー３６に蓄電された後、発電機３５により発電された電力が、コントロールユニット２１、水銀スイッチ３７、及びポンプユニット２７を駆動するのに必要な電力として供給するものとして説明したが、踏段５の走行を利用して発電された発電機３５の出力電圧が、コントロールユニット２１、水銀スイッチ３７、及びポンプユニット２７の駆動電圧以上であれば、直接コントロールユニット２１、水銀スイッチ３７、及びポンプユニット２７に電力を供給してもよい。この場合、発電機３５の出力電圧は踏段５の走行速度により変動するが、レギュレータなどを用いて電圧を所定の値に安定させた後、コントロールユニット２１、水銀スイッチ３７、及びポンプユニット２７に発電機３５による電力を供給すればよい。また、発電機３５とバッテリー３６を併用し、発電機３５による電圧が所定の値以下になったら、発電機３５に代え、バッテリー３６から電力を供給するようにしてもよい。
【００４７】
また、追従ローラ１０に発電機３５を取り付けるものとして説明したが、駆動ローラ１２に発電機３５を取り付けてもよい。
また、タイマ２４のタイムカウントが散布周期時間毎に、消臭剤２８を散布するものとして説明したが、タイマ２４を省略し、踏段５が帰路を走行する度に消臭剤２８を散布するものでもよい。この場合、消臭剤２８の散布回数が多くなるので、踏段５が帰路を走行する毎に散布する消臭剤２８の散布量を極少量に調整するなどすればよい。
【００４８】
また、乗客コンベアとして、エスカレータ１を例に挙げて説明したが、乗客コンベアとしての動く歩道にも本発明を適用できる。
【図面の簡単な説明】
【００４９】
【図１】この発明に係るエスカレータ本体内消臭装置を備えたエスカレータの構成を示す模式図である。
【図２】この発明に係るエスカレータ本体内消臭装置が踏段に配設された様子を示す側面図である。
【図３】この発明に係るエスカレータ本体内消臭装置が踏段に配設された様子を示す上面図である。
【図４】この発明に係るエスカレータ本体内消臭装置が踏段に配設された様子を示す正面図である。
【図５】この発明に係るエスカレータ本体内消臭装置の詳細構成を説明するブロック図である。
【図６】この発明に係るエスカレータ本体内消臭装置において、コントロールユニットのＣＰＵによるタイマのタイムカウントの監視動作を説明するフロー図である。
【図７】この発明に係るエスカレータ本体内消臭装置において、コントロールユニットのＣＰＵによるバッテリーの出力電圧の監視動作を説明するフロー図である。
【図８】この発明に係るエスカレータ本体内消臭装置による消臭剤の散布動作を説明するフロー図である。
【符号の説明】
【００５０】
１  エスカレータ（乗客コンベア）、２  エスカレータ本体（乗客コンベア本体）、５  踏段、２０  エスカレータ本体内消臭装置（乗客コンベア本体内消臭装置）、２１  コントロールユニット、２２  ＣＰＵ（演算制御手段）、２４  タイマ、２７  ポンプユニット、２８  消臭剤、２９  消臭剤容器、３０  コンプレッサ（加圧手段）、３５  発電機、３７  水銀スイッチ（踏段経路検出手段）。
【図１】
2008162772.tif 000003
【図２】
2008162772.tif 000004
【図３】
2008162772.tif 000005
【図４】
2008162772.tif 000006
【図５】
2008162772.tif 000007
【図６】
2008162772.tif 000008
【図７】
2008162772.tif 000009
【図８】
2008162772.tif 000010